(57)【要約】【課題】空間の仕切り面に自在に配置される反射部材に照明器具からの光を反射して配光する反射照明システムにおいて、配光方向を可変でき、かつ、配光用スペースを小さくして反射範囲及び配光方向を広く調整できるようにする。【解決手段】本照明システムは、天井面１０１の任意の位置に配置自在である反射部材１と、側壁面１０３に配置され反射部材１に光を照射する照明器具２とを有する。反射部材１は照明器具２からの光を反射する反射面を有する複数の反射片と、各反射片をそれぞれ回転自在とする回転軸とを有し、各反射片は回転軸が互いに平行に、かつ、各反射面と天井面１０１との成す角が相互に同じに配置される。従って、各反射片を回転して反射光を所望の方向に配光でき、かつ、複数の反射片により配光方向を調整するので、１枚の反射片を用いる場合に比し配光用スペースを小さくして反射範囲及び配光方向を広く調整することができる。【選択図】図１
2011154828.tif 000002
【特許請求の範囲】
【請求項１】
空間を仕切る仕切り面の任意の位置に配置自在である反射部材と、前記反射部材が配置される仕切り面以外の空間の位置に配置されて前記反射部材に光を照射する照明器具と、を有する反射照明システムであって、
前記反射部材は、前記照明器具からの光を反射するための反射面を有する複数の反射片と、前記各反射片をそれぞれ回転自在とする回転軸と、を有し、
前記反射片は、各々の回転軸が互いに平行となるように配置され、かつ、各々の反射面と前記仕切り面との成す角が相互に同等であることを特徴とする反射照明システム。
【請求項２】
前記照明器具は、その照射光の照射面積と焦点とを可変自在とするズームスポットライトであることを特徴とする請求項１に記載の反射照明システム。
【発明の詳細な説明】
【技術分野】
【０００１】
本発明は、空間の天井面等に配置された反射部材に照明器具からの光を反射して空間を照射する反射照明システムに関する。
【背景技術】
【０００２】
従来、この種の照明システムとして、天井面の任意の位置に設けられる反射部材と天井面以外に配置される照明器具とを組み合わせることにより、反射部材を仮想の光源とし、反射部材の配置位置を可変し、反射部材により照射方向を設定するものが知られている（例えば、特許文献１参照）。この照明システムは、光源やその電源回路等を備えて重くなる照明器具を天井面に設ける必要がないので、天井面の強度が問題とならない利点がある。しかしながら、このシステムは、反射部材の反射面が固定されており、その反射方向を可変できないので、配光調整することができず、反射部材を設置後の反射方向の修正や変更が困難である。
【０００３】
また、他の例として、車室内の前方のルーフに反射鏡を設け、後部座席側から反射鏡に向けてスポットライトのビーム光を照射し、反射鏡の向きを変化させてドライバ席側を照射する車両用室内照明装置が知られている（例えば、特許文献２参照）。しかしながら、この装置は、配光方向を広く調整しようとすると、反射鏡を回動するための広い配光用スペースが必要となり、宅内やオフィスの照明に不向きである。
【先行技術文献】
【特許文献】
【０００４】
【特許文献１】特開昭５７−２１００２号公報
【特許文献２】特開平６−２４２７２号公報
【発明の概要】
【発明が解決しようとする課題】
【０００５】
本発明は、上記の問題を解決するものであり、空間の仕切り面に自在に配置される反射部材に照明器具からの光を反射して配光する反射照明システムにおいて、反射光の方向を可変して配光でき、かつ、反射部材により配光するための配光用スペースを小さくできて、反射範囲及び配光方向を広く調整することができる反射照明システムを提供することを目的とする。
【課題を解決するための手段】
【０００６】
上記目的を達成するために請求項１の発明は、空間を仕切る仕切り面の任意の位置に配置自在である反射部材と、前記反射部材が配置される仕切り面以外の空間の位置に配置されて前記反射部材に光を照射する照明器具と、を有する反射照明システムであって、前記反射部材は、前記照明器具からの光を反射するための反射面を有する複数の反射片と、前記各反射片をそれぞれ回転自在とする回転軸と、を有し、前記反射片は、各々の回転軸が互いに平行となるように配置され、かつ、各々の反射面と前記仕切り面との成す角が相互に同等であるものである。
【０００７】
請求項２の発明は、請求項１に記載の反射照明システムにおいて、前記照明器具は、その照射光の照射面積と焦点とを可変自在とするズームスポットライトであるものである。
【発明の効果】
【０００８】
請求項１の発明によれば、反射部材は、複数の反射片の反射面と空間の仕切り面との成す角が相互に等しく配置された、所謂ルーバー形状を成し、反射面と仕切り面の成す角を調整することにより反射面と照明器具からの光との成す角を調整できるので、反射光を所望の位置に配光することができる。また、複数の反射片により配光方向を調整するので、１枚の反射片を用いる場合に比し、各反射片の回転スペースは小さくて済み、従って、配光用スペースを小さくできる。
【０００９】
請求項２の発明によれば、照明器具と反射部材との距離が変化しても、ズームスポットライトのズーム調整により、反射部材に絞った光を照射することができるので、効率良く照明できる。
【図面の簡単な説明】
【００１０】
【図１】本発明の第１の実施形態に係る反射照明システムを示す斜視図。
【図２】同照明システムの反射部材の分解斜視図。
【図３】（ａ）は同反射部材の斜視図、（ｂ）は同反射部材の側面図。
【図４】（ａ）は反射片を回転する前の断面図、（ｂ）は反射片を回転した後の断面図。
【図５】（ａ）は同照明システムの照明器具の斜視図、（ｂ）は同照明システムの他の照明器具の斜視図。
【図６】（ａ）は上記実施形態の変形例における反射部材を示す部分斜視図、（ｂ）は同反射部材の断面図。
【図７】（ａ）は上記実施形態の他の変形例における反射部材の斜視図、（ｂ）は同反射部材の反射面側から見た平面図、（ｃ）は同反射部材の断面図、（ｄ）は同反射部材の側面図。
【図８】（ａ）は上記実施形態の変形例における反射照明システムを示す斜視図、（ｂ）は同照明システムの側面図。
【図９】（ａ）は本発明の第２の実施形態に係る反射照明システムのズームスポットライトの斜視図、（ｂ）は同スポットライトの構成図、（ｃ）は同スポットライトの狭角時と広角時の照射パターンを示す図、（ｄ）は同スポットライトのズーム機構を示す断面図、（ｅ）は同スポットライトの内部筐体の斜視図。
【図１０】（ａ）は同照明システムのスポットライトを広角ズームとしたときの斜視図、（ｂ）は同照明システムのスポットライトを狭角ズームとしたときの斜視図。
【図１１】同照明システムの照明器具を什器に配置した場合の斜視図。
【発明を実施するための形態】
【００１１】
（第１の実施形態）
本発明の第１の実施形態に係る反射照明システムについて図１乃至図５を参照して説明する。図１は、本実施形態における反射照明システム（以下、本照明システムという）の構成を示す。本照明システムは、室内の空間１００を仕切る天井面（仕切り面）１０１の任意の位置に配置自在な反射部材１と、反射部材１が配置される天井面１０１以外の空間１００の位置に配置され反射部材１に光を照射する照明器具２と、を有する。ここでは、照明器具２は空間１００の側壁面１０３に取り付けられ、照明器具２からの照射光２０が反射部材１で反射され、その反射光１０により空間１００内の、例えば床面１０２上の机２００等を照明する。
【００１２】
反射部材１は、図２に示すように、照明器具２からの光を反射するための反射面３４を持つ複数の反射片３１と、各反射片３１をそれぞれ回転自在とする回転軸３２と、回転軸３２の両端を支持するための２本のレール３３と、各レール３３と接合され天井面１０１に取り付けられるプレート４と、を有する。
【００１３】
反射片３１は、アルミニウム等の金属材、または樹脂等の基板に銀蒸着等の表面処理を行って金属コーティングした部材等を用い、その表面は反射率を約９０％以上としている。反射片３１は各々の回転軸３２が互いに平行となるようにレール３３に配置され、かつ、各々の反射面３４と天井面１０１との成す角が相互に同等となるようにして使用され、所謂ルーバー形式を成している。
【００１４】
回転軸３２は、金属製または樹脂製の円柱棒形状を成し、例えば、反射片３１の矩形板内をその長手方向の中心軸に沿って設けられた貫通孔（不図示）を貫通して装着される。なお、回転軸３２は、反射片３１に貫通せずに外から直接取り付けてもよく、反射片３１の中心軸上、またはそれと平行にあり反射片３１と一体になって回転自在であればよい。
【００１５】
レール３３は、図２のＡ部に示すように、その長手方向に沿って等間隔に形成された回転軸用の軸受穴３５を有し、回転軸３２はその両端がレール３３の軸受穴３５に挿入され回転自在に支持される。ここでは、回転軸３２は、手動で反射片３１を回転調整後、再度手動で調整しない限りその回転した角が保持される程度の取付け強さでレール３３に支持されている。
【００１６】
反射部材１の天井面１０１への固定について図３（ａ）、（ｂ）を参照して説明する。
反射部材１は、その反射面３４と反対側に静電気接触シート１１が配置され、この静電気接触シート１１を介して支持体である天井面１０１の壁に取り付けられる。
【００１７】
図３（ａ）に示すように、反射部材１は、プレート４とレール３３とが接着剤等の接合部材により接合されて一体化され、プレート４の天井面１０１側に、静電気接触シート１１が装着される。また、図３（ｂ）に示すように、反射部材１は天井面１０１に取り付けられる際、プレート４に静電気接触シート１１が装着された状態で、静電気接触シート１１を天井面１０１との間に挟むようにして天井面１０１に押付けられる。これにより、反射部材１は静電気接触シート１１による静電気力により天井面１０１に接着され保持される。
【００１８】
静電気接触シート１１は、反射部材１が静電気力を利用して天井面１０１に取り付けたられたとき、反射部材１が落下し難い接着・保持性能を有し、設置後、移動させるときに容易に取り外すことができるものを使用すればよく、例えば、市販の静電気接触シートとして、シート素材にポリプロピレン部材（厚さ５０μｍ）を用いた「コーワライティングシート」（製品名）（株式会社光和インターナショナル製）などが挙げられる。また、静電気接触シート１１の形状は、反射部材１の形状に合わせて任意に設定できる。なお、他の面接触用部材として、カギ状のトゲが無数に付いた布と、起毛状の柔らかい布との組み合わせからなる面ファスナー、例えば、マジックテープ（クラレ社の登録商標）等を使用してもよい。
【００１９】
上記反射部材１において、ユーザは照明器具２（図１参照）からの光の反射方向に対応して、各反射片３１の反射面３４と天井面１０１との成す角を相互に同じとなるようにして調整する。図４（ａ）は、反射片３１の各々の反射面３４を天井面１０１と平行に調整した初期状態を示す。図４（ｂ）は、各反射面３４が回転され天井面１０１と一定の傾きの角度を成した状態を示す。ここでは、照明器具２からの照射光２０を反射面３４で反射して、その反射光１０を反射部材１直下の床面等に照射するように調整されている。このように、反射片３１の各々を照射方向に合わせて回転することにより、照明器具２からの光は反射部材１で反射され天井面１０１以外のほぼ任意の方向に照射される。なお、各反射面３４は、回転軸３２の回りに、半回転や一回転することも可能である。
【００２０】
照明器具２は、光源として蛍光灯等の放電灯や、ＬＥＤ等の半導体光源などが用いられる。図５（ａ）は、光源が蛍光灯である場合の照明器具２を示す。この照明器具２は、筐体２１内に設けられた蛍光灯２２からの光を、反射鏡２３で反射し線状光源として照射する。図５（ｂ）は、光源がＬＥＤ２５である場合の照明器具２を示す。この照明器具２は、筒状の筐体２４内の底面に、同心円上に配置された複数のＬＥＤ２５からの光を複数のレンズ２６を有する光学部材２７でそれぞれ集光し、円状光源として照射する。
【００２１】
本実施形態によれば、反射部材１は、いわゆるルーバー形式となっているので、各反射片３１を回転して反射面３４と天井面１０との成す角を調整することにより、反射面３４と照明器具２からの照射光２０との成す角を可変して配光調整でき、反射光１０を所望の位置に配光させることができる。また、複数の反射片３１の反射面３４により、広い反射範囲を成し各反射面３４により配光方向を広く調整することができ、その際に、各反射片３１の回転スペースが小さいので、配光用スペースを小さくできる。
【００２２】
また、反射片３１を回転するだけで、照射方向を変えることができるので、電気工事を伴わずに簡単に照明の位置や方向を変更することができる。また、光源やその電源等を有する照明器具２は、天井面１０１に設置する場合と比較して低位置に設置されるので、ランプ交換等のメンテナンス作業も容易となる。なお、本実施形態は、住宅内での使用を想定したものであるが、その他、オフィス、学校、病院、店舗等の非住宅施設においても同様に適用することができる。
【００２３】
反射部材１を配置位置可変とする他の構成としては、天井面１０１などに形成されたダクトやレールに反射部材１を保持して移動する方式や、反射部材１に設けた差し込み端子を、天井面１０１に設けた複数の差し込み口の任意の位置に差し込んで反射部材１を天井面１０１に固定する方式等でもよく、反射部材１が天井面１０１に着脱、配置自在な構造であればよい。
【００２４】
次に、上記実施形態の変形例の反射部材について、図６（ａ）、（ｂ）を参照して説明する。本変形例において、反射部材１は、ウォームギヤを構成するねじ状の歯車であるウォーム３６と、このウォーム３６と軸角９０度を成してかみ合うウォームホイールの歯車３７とを有する。ウォーム３６は、その両端がレール３３の各Ｌ字型部分にレール３３の長手方向に平行に回転自在に支持される。歯車３７は、回転軸３２に互いの中心軸を合わせて共に回転するように取り付けられている。
【００２５】
ウォーム３６は、その一端がレール３３のＬ字型部分を貫通し、その先端にウォーム回転用のツマミ３８が固定されている。ユーザは、このツマミ３８を回転することにより、ウォーム３６とかみ合っている全ての歯車３７を同時に同じ回転角だけ回転することができ、ルーバー形式の反射片３１を容易に回転調整することができる。なお、ツマミ３８に、これを回転するための回転紐を設けてもよい。
【００２６】
次に、上記実施形態の他の変形例について、図７（ａ）乃至（ｄ）を参照して説明する。本変形例においては、反射部材１は円筒形のレール３３ａを有し、レール３３ａは、その内壁面に各回転軸３２を回転自在に支持するための軸穴３９を有する。反射片３１は、レール３３ａの円筒内に収納されるように、各々の長さ及び幅が形成されると共に、これに対応して回転軸３２の長さも調整され軸穴３９に挿入される。この反射部材１は、前述と同様に静電気接触シート１１により天井面１０１に配置自在に取付けられる。本変形例によれは、反射光により、円形状の照射パターンを形成できる。
【００２７】
次に、上記実施形態の他の別の変形例について図８（ａ）、（ｂ）を参照して説明する。本変形例は、照明器具２を側壁面１０３に形成された埋め込み部１０４に埋め込み、この照明器具２からの光により、フリーレイアウトに配置された反射部材１を照射して空間１００の下方を照明する。本変形例によれば、光源や光源用電源を含む照明器具２は、天井面１０１に配置される反射部材１とは別配置とされると共に、埋め込み部１０４内に置くだけでよいので、その取り付けが容易となると共に、ユーザが直接光を見ることを避けるようにでき、照明器具２を目立たなくすることができる。
【００２８】
（第２の実施形態）
本発明の第２の実施形態に係る反射照明システムについて図９及び図１０を参照して説明する。本照明システムにおいては、上述の照明器具２として、照射光の照射面積と焦点とを可変自在とするズーム式スポットライト５を用いている。
【００２９】
スポットライト５は、図９（ａ）、（ｂ）に示すように、筒状の本体５１と、本体５１に内蔵される光源５２と、光源５２からの光を通すための開口を有するマスク５３と、マスク５３の前方の照射方向に設けられたズームレンズ５４と、を備える。また、本体５１は、ズームレンズ５４を移動するためのズームレバー５５と、本体５１を側壁面１０３（図１０参照）に取り付けるための取付部５６と、ズームレンズ５４を支持するための内部筐体５７と、を有する。光源５２は、ＬＥＤ等の発光体と、発光体からの光をズームレンズ５４側に反射する反射鏡とを有する。ズームレンズ５４は、集光用のレンズ５４ａと、それと同じ光軸上にある焦点調整用のレンズ５４ｂとを有する。
【００３０】
スポットライト５は、ズームレバー５５により、レンズ５４ａとレンズ５４ｂとの間隔が可変され、マスク５３を通ってきた光源５２からの照射光の照射面積や焦点距離が調整され、照射面６０に照射パターン６１が形成される。このレンズ調整により、例えば、図９（ｃ）に示すように、絞った照射パターン６１ａや拡大した照射パターン６１ｂが得られる。
【００３１】
内部筐体５７は、図９（ｄ）、（ｅ）に示すように、ズームレバー５５と連動して回転する外筒５７ａと、回転しない内筒５７ｂとを有する。ズームレンズ５４（５４ａ、５４ｂ）は、レンズピン５８が内筒５７ｂのレンズ回転止め用の直線ガイド溝５９ａを通して、外筒５７ａの円弧状のガイド孔５９に移動自由に嵌り込むことにより支持されている。これにより、外筒５７ａが回転されると、ズームレンズ５４は、軸方向に直線的に移動する。
【００３２】
図１０は、上記スポットライト５を用いた照明システムを示し、同図（ａ）はスポットライト５が広角ズームの状態、同図（ｂ）はスポットライト５が狭角ズームの状態を示す。広角ズームは、スポットライト５と反射部材１とが接近しているときに設定される。このとき、スポットライト５はズーム角を広角に調整されて反射部材１に照射光５０を照射する。狭角ズームは、スポットライト５と反射部材１とが離間しているときに設定される。このとき、スポットライト５はズーム角を狭角に調整されて反射部材１を照射する。なお、スポットライト５は側壁面１０３に形成された埋め込み部に配置してもよい。
【００３３】
本実施形態によれば、照明器具として、光源からの照射光の照射面積及び焦点が可変自在なスポットライト５を用いたことにより、スポットライト５と反射部材１との距離が変化しても、スポットライト５のズーム調整により、反射部材１に絞った照射光５０を照射することができるので、効率良く照明できる。
【００３４】
図１１は、上記のようなスポットライトを照明器具２として用いたときであって、これをテレビ台２０１や本棚２０２等の什器に配置した場合を示す。反射部材１は天井面１０１にフリーレイアウトとし、照明器具２は空間１００内の各種家具等の什器に配置される。この構成においては、照明器具２を低位置に配置し易いので、ランプ交換時のメンテナンス作業がより容易である。また、照明器具２を既存配置の各種什器上に配置するので、余分な配置スペースを必要としない。また、照明器具２の個数を増やしたり、それらの配置を変更することにより、ユーザの好みに応じた光色や光量の組み合わせとすることができ、様々な照明バリエーションの展開が可能となる。なお、照明器具２は床面１０２に埋め込んでもよい。また、照明器具２の給電方式として、電灯線によるワイヤ接続以外に、充電式電池等を用いてワイヤレスとしてもよい。
【００３５】
なお、本発明は上記各種実施形態の構成に限定されるものではなく、発明の趣旨を変更しない範囲で適宜に種々の変形が可能である。例えば、上記各実施形態における各反射片３１の反射面３４を回転する際、各反射片３１の一端をそれぞれ紐で連結して接続し、紐を引っ張ることにより、各反射片３１を同時に同じ回転角で回転するようにしてもよい。また、反射部材１は円形状の場合に、各反射片３１全体を照明器具２の方向に合わせて水平回転可能としてもよい。
【符号の説明】
【００３６】
１  反射部材
２  照明器具
３  反射部（反射部材）
３１  反射片
３２  回転軸
３４  反射面
５  スポットライト（ズームスポットライト、照明器具）
１００  空間
１０１  天井面（仕切り面）
【図１】
2011154828.tif 000003
【図２】
2011154828.tif 000004
【図３】
2011154828.tif 000005
【図４】
2011154828.tif 000006
【図５】
2011154828.tif 000007
【図６】
2011154828.tif 000008
【図７】
2011154828.tif 000009
【図８】
2011154828.tif 000010
【図９】
2011154828.tif 000011
【図１０】
2011154828.tif 000012
【図１１】
2011154828.tif 000013